(57)【要約】【課題】商品価値をより向上させることのできる写真撮影装置等を提供する。【解決手段】写真撮影装置は、ユーザを撮影する撮影部や画像処理装置等を有する。画像処理装置は、撮影部で撮影した撮影画像から人物画像２００を抽出し、人物画像２００から求めた特徴量に基づいてコンテンツ３００を人物画像２００に合成することで、合成画像４００を作成する。この際、画像処理装置は、合成に用いるコンテンツ３００の選択とコンテンツ３００の色や配置の設定を特徴量に基づいて行う。【選択図】図７
2020178191.tif 000002
【特許請求の範囲】
【請求項１】
ユーザが被写体として撮影された画像またはユーザにより入力された画像から被写体の画像を抽出し、前記被写体の画像から求めた特徴量に基づいて、複数のコンテンツ画像候補の中からコンテンツ画像を選択することを特徴とする画像処理装置。
【請求項２】
ユーザが被写体として撮影された画像またはユーザにより入力された画像から被写体の画像を抽出し、前記被写体の画像から求めた特徴量に基づいて、コンテンツ画像の表示形態を設定することを特徴とする画像処理装置。
【請求項３】
前記コンテンツ画像の表示形態を前記特徴量に基づいて設定することを特徴とする請求項１に記載の画像処理装置。
【請求項４】
前記コンテンツ画像と前記被写体の画像とを合成して合成画像を作成することを特徴とする請求項１から請求項３のいずれかに記載の画像処理装置。
【請求項５】
前記特徴量に基づいて複数のコンテンツ画像候補の中から前記コンテンツ画像を選択する際、または前記特徴量を求める際の少なくともいずれかでＡＩを用いることを特徴とする請求項１から請求項４のいずれかに記載の画像処理装置。
【請求項６】
ＡＩを用い前記特徴量に基づいて複数のコンテンツ画像候補の中から前記コンテンツ画像を複数選択し、その中からユーザによるコンテンツ画像の選択を受付けることを特徴とする請求項１から請求項５のいずれかに記載の画像処理装置。
【請求項７】
ユーザを撮影する撮影部と、
画像処理装置と、
を有し、
前記画像処理装置は、
前記撮影部でユーザを撮影した画像からユーザの人物画像を抽出し、前記人物画像から求めた特徴量に基づいて、複数のコンテンツ画像候補の中からコンテンツ画像を選択することを特徴とする写真撮影装置。
【請求項８】
ユーザを撮影する撮影部と、
画像処理装置と、
を有し、
前記画像処理装置は、
前記撮影部でユーザを撮影した画像からユーザの人物画像を抽出し、前記人物画像から求めた特徴量に基づいて、コンテンツ画像の表示形態を設定することを特徴とする写真撮影装置。
【請求項９】
前記画像処理装置は、前記コンテンツ画像と前記人物画像とをクロマキー合成して合成画像を作成することを特徴とする請求項７または請求項８に記載の写真撮影装置。
【請求項１０】
コンピュータを、
ユーザが被写体として撮影された画像またはユーザにより入力された画像から被写体の画像を抽出し、前記被写体の画像から求めた特徴量に基づいて、複数のコンテンツ画像候補の中からコンテンツ画像を選択する画像処理装置として機能させるためのプログラム。
【請求項１１】
コンピュータを、
ユーザが被写体として撮影された画像またはユーザにより入力された画像から被写体の画像を抽出し、前記被写体の画像から求めた特徴量に基づいて、コンテンツ画像の表示形態を設定する画像処理装置として機能させるためのプログラム。
【発明の詳細な説明】
【技術分野】
【０００１】
本発明は、画像処理装置、写真撮影装置およびプログラムに関する。
【背景技術】
【０００２】
ユーザを撮影してその撮影画像をプリントする写真撮影装置は種々存在する。このような写真撮影装置では、所定色の背景板をバックにしてユーザを撮影することで、撮影画像からユーザの人物画像を抽出し、その人物画像を背景画像（コンテンツ画像）にクロマキー合成するサービスも行われている（例えば特許文献１、２など）。
【先行技術文献】
【特許文献】
【０００３】
【特許文献１】特開2017-34354号公報
【特許文献２】特開2016-146623号公報
【発明の概要】
【発明が解決しようとする課題】
【０００４】
しかしながら、従来の写真撮影装置では、予め準備されたコンテンツ画像をユーザにより選択し、人物画像を当該コンテンツ画像と合成する事が多い。
【０００５】
この場合、合成画像としてユーザに提供されるコンテンツ画像は予め準備されユーザにより選択されたものであり、どのようなユーザであっても一定の範囲を出ない一律なものになりがちである。このような観点から、提供されるコンテンツ画像の魅力をより高め、商品価値をより向上させる余地があると考えられる。
【０００６】
本発明は上記の問題に鑑みてなされたものであり、コンテンツ画像の商品価値をより向上させることのできる画像処理装置等を提供することを目的とする。
【課題を解決するための手段】
【０００７】
前述した課題を解決するための第１の発明は、ユーザが被写体として撮影された画像またはユーザにより入力された画像から被写体の画像を抽出し、前記被写体の画像から求めた特徴量に基づいて、複数のコンテンツ画像候補の中からコンテンツ画像を選択することを特徴とする画像処理装置である。
また、前記コンテンツ画像の表示形態を前記特徴量に基づいて設定することも望ましい。
【０００８】
第２の発明は、ユーザが被写体として撮影された画像またはユーザにより入力された画像から被写体の画像を抽出し、前記被写体の画像から求めた特徴量に基づいて、コンテンツ画像の表示形態を設定することを特徴とする画像処理装置である。
【０００９】
第１、第２の発明では、ユーザを撮影した画像やユーザが入力した画像から抽出した被写体の特徴によりコンテンツ画像を可変とでき、コンテンツ画像を被写体によって異なるものとできる。そのため個々のユーザに希少性の高いコンテンツ画像を提供でき、コンテンツ画像の商品価値を高めることができる。なお、「被写体」とは画像に写される物全般を指すものとする。
【００１０】
前記画像処理装置は、前記コンテンツ画像と前記被写体の画像とを合成することが望ましい。
本発明では、コンテンツ画像を被写体の画像と合成した合成画像として提供し、この時コンテンツ画像を被写体の特徴によって可変とできる。
【００１１】
前記特徴量に基づいて複数のコンテンツ画像候補の中から前記コンテンツ画像を選択する際、または前記特徴量を求める際の少なくともいずれかでＡＩを用いることが望ましい。
これにより、人間の判断に近いコンテンツ画像の選択や表示形態の設定が可能になる。
【００１２】
ＡＩを用い前記特徴量に基づいて複数のコンテンツ画像候補の中から前記コンテンツ画像を複数選択し、その中からユーザによるコンテンツ画像の選択を受付けることも望ましい。
本発明では、ＡＩにより選択された複数のお勧めのコンテンツ画像の中からユーザによって好みのコンテンツ画像を選択することができる。
【００１３】
第３の発明は、ユーザを撮影する撮影部と、画像処理装置と、を有し、前記画像処理装置は、前記撮影部でユーザを撮影した画像からユーザの人物画像を抽出し、前記人物画像から求めた特徴量に基づいて、複数のコンテンツ画像候補の中からコンテンツ画像を選択することを特徴とする写真撮影装置である。
第４の発明は、ユーザを撮影する撮影部と、画像処理装置と、を有し、前記画像処理装置は、前記撮影部でユーザを撮影した画像からユーザの人物画像を抽出し、前記人物画像から求めた特徴量に基づいて、コンテンツ画像の表示形態を設定することを特徴とする写真撮影装置である。
第３、第４の発明では、撮影画像中のユーザの人物画像の特徴に応じたコンテンツ画像をユーザに提供できる。
【００１４】
前記画像処理装置は、前記コンテンツ画像と前記人物画像とをクロマキー合成して合成画像を作成することが望ましい。
画像処理装置は例えばクロマキー合成によって合成画像を作成し、所定色の背景板等を備えた写真撮影装置におけるサービスとして好適に適用できる。
【００１５】
第５の発明は、コンピュータを、ユーザが被写体として撮影された画像またはユーザにより入力された画像から被写体の画像を抽出し、前記被写体の画像から求めた特徴量に基づいて、複数のコンテンツ画像候補の中からコンテンツ画像を選択する画像処理装置として機能させるためのプログラムである。
第６の発明は、コンピュータを、ユーザが被写体として撮影された画像またはユーザにより入力された画像から被写体の画像を抽出し、前記被写体の画像から求めた特徴量に基づいて、コンテンツ画像の表示形態を設定する画像処理装置として機能させるためのプログラムである。
【発明の効果】
【００１６】
本発明により、コンテンツ画像の商品価値をより向上させることのできる画像処理装置等を提供することができる。
【図面の簡単な説明】
【００１７】
【図１】写真撮影装置１の外観を示す図。
【図２】写真撮影装置１のシステム構成を示す図。
【図３】画像処理装置１０のハードウェア構成を示す図。
【図４】写真撮影装置１の処理を示すフローチャート。
【図５】撮影画像１００と人物画像２００の例。
【図６】コンテンツ３００の例。
【図７】コンテンツ３００の色と配置の設定について説明する図。
【図８】コンテンツ選択画面の例。
【図９】入力画像１００ａと被写体の画像２００ａの例。
【発明を実施するための形態】
【００１８】
以下、図面に基づいて本発明の好適な実施形態について詳細に説明する。
【００１９】
（１．写真撮影装置１）
図１は本発明の実施形態に係る写真撮影装置１の外観を示す図であり、図２は写真撮影装置１のシステム構成を示す図である。
【００２０】
写真撮影装置１はユーザが中に入って撮影を行うボックス状の外観を有し、画像処理装置１０、表示部１１、課金部１２、撮影部１３、照明１４、プリンタ１５、プリント物取出口１７、背景板１８等を有する。背景板１８以外は、主に写真撮影装置１の前部（図１の左側に対応する）に設けられる。
【００２１】
画像処理装置１０は写真撮影装置１の内部に設けられ、後述する手順によりユーザの人物画像とコンテンツ画像（以下、単にコンテンツという）をクロマキー合成し、合成画像を作成する。また画像処理装置１０は、制御装置として写真撮影装置１の処理全体を制御する。
【００２２】
図３は画像処理装置１０のハードウェア構成を示す図である。図３に示すように、画像処理装置１０は、例えば制御部１０１、記憶部１０２、入力部１０３、通信制御部１０４等をバス等により接続して構成したコンピュータにより実現できる。但しこれに限ることなく、適宜様々な構成をとることができる。
【００２３】
制御部１０１はCPU、ROM、RAMなどから構成される。CPUは、記憶部１０２、ROMなどの記憶媒体に格納された画像処理装置１０の処理に係るプログラムをRAM上のワークエリアに呼び出して実行する。ROMは不揮発性メモリであり、ブートプログラムやBIOSなどのプログラム、データなどを恒久的に保持している。RAMは揮発性メモリであり、記憶部１０２、ROMなどからロードしたプログラムやデータを一時的に保持するとともに、制御部１０１が各種処理を行うために使用するワークエリアを備える。
【００２４】
記憶部１０２はハードディスクドライブやソリッドステートドライブ、フラッシュメモリ等であり、後述する処理に際し画像処理装置１０が実行するプログラム、プログラム実行に必要なデータ、OSなどが格納される。これらのプログラムやデータは、制御部１０１により必要に応じて読み出され実行される。また本実施形態では、後述するコンテンツの画像データが記憶部１０２に予め格納されている。
【００２５】
入力部１０３は画像処理装置１０に各種の設定入力を行うものである。
通信制御部１０４はネットワーク等を介した通信を媒介する通信インタフェースであり、図示しないサーバ等との間で通信を行う。
【００２６】
図１、２の説明に戻る。表示部１１は、写真撮影装置１の入力部を兼ねたタッチパネル付ディスプレイ等により実現される。表示部１１はユーザの操作、選択に係る各種の画面を表示し、画面上でのユーザの指示入力等を受付ける。
【００２７】
課金部１２は、硬貨や紙幣の投入口、つり銭返却口、レシート取出口、レシートプリンタ等（不図示）を備え、ユーザからの課金やレシートの発行を管理する。
【００２８】
撮影部１３は、撮影窓の内側にカメラ等を設けたものである。カメラには例えば高解像度のデジタルカメラが用いられるが、これに限ることはない。
【００２９】
照明１４はユーザを撮影する際の照明である。照明１４は例えば白色の光を照射する面光源であり、撮影部１３の上部に設けられるが、これに限ることはない。
【００３０】
プリンタ１５は、画像をプリントするものであり、写真撮影装置１の内部に設けられる。画像をプリントしたプリント物はプリント物取出口１７に排出される。プリンタ１５の方式や設置台数等は特に問わない。
【００３１】
背景板１８は、写真撮影装置１の後部（図１の右側に対応する）に設けられ、ユーザの撮影時の背景となる。背景板１８は所定色のパネル等により構成される。
【００３２】
（２．写真撮影装置１が行う処理）
図４は写真撮影装置１の処理を示すフローチャートである。図４の各ステップは、画像処理装置１０が写真撮影装置１の各部における処理を実行することにより行われる。
【００３３】
本実施形態では、撮影を開始するにあたって、写真撮影装置１が表示部１１にコンテンツ選択方法を指定するための画面（不図示）を表示し、ユーザは当該画面上でコンテンツを自動で選択するかユーザ自身で選択するかを指定する。写真撮影装置１は、コンテンツ選択方法の指定を受付ける（Ｓ１）。
【００３４】
コンテンツを自動で選択する場合（Ｓ２；自動選択）、写真撮影装置１はユーザに課金を促すための課金画面（不図示）を表示部１１に表示し、ユーザは課金部１２にて課金を行う。
【００３５】
写真撮影装置１は、ユーザからの課金を受付ける（Ｓ４）と、表示部１１に案内画面（不図示）を表示して撮影に係る操作案内を行い、撮影部１３によってユーザの撮影を行う（Ｓ５）。
【００３６】
写真撮影装置１は、ユーザを撮影した撮影画像から被写体であるユーザの人物画像を抽出する（Ｓ６）。図５（ａ）、（ｂ）の１００は撮影画像の例であり、２００は撮影画像から抽出した人物画像の例である。人物画像２００の抽出は、撮影画像１００から背景板１８の色の領域ａを除く領域を抽出することにより行うことができる。
【００３７】
また、写真撮影装置１は、人物画像２００から特徴量を取得する（Ｓ７）。この特徴量は後述するコンテンツの自動選択や表示形態の設定に用いるものであり、例えば人物画像２００における人物の服の色、服の形、髪の色、髪型、目の色、顔の皮膚部分の色、表情、人物の向き、ポーズ、人数、撮影画像１００内の人物画像２００の位置などについての値である。これらの特徴量は既知の算出方法によって求めることができる。
【００３８】
こうして人物画像２００から特徴量を求めた後、写真撮影装置１は人物画像２００から求めた特徴量に基づいてコンテンツを人物画像２００に合成する。本実施形態では、まず当該特徴量に基づいてコンテンツの自動選択を行う（Ｓ８）。
【００３９】
図６はコンテンツ３００の例である。本実施形態では、図６に示すように車の画像をコンテンツ３００として用いるものとし、複数の種類（車種）のコンテンツ３００が選択候補（コンテンツ画像候補）として用意される。これら複数のコンテンツ３００は画像処理装置１０の記憶部１０２に予め格納されている。
【００４０】
コンテンツ３００の選択方法としては、例えば１又は複数の特徴量から人物の人種、年齢、性別、性格、人物構成などの属性をＡＩ（Artificial Intelligence）を利用した既知の画像認識技術を用いて特定し、特定結果に合わせたコンテンツ３００を選択する。ＡＩ（人工知能）については既知の様々な技術を適用可能であるが、例えば機械学習によって得た特徴量と当該特徴量に基づく判別式を用いたエキスパートシステム等が適用可能である。その他ディープラーニングやニューラルネットワークなどを用いた手法も適用可能である。
【００４１】
例えば人物画像２００の人物が若年層と特定される場合、オフロードタイプやスポーツタイプの車種のコンテンツ３００が選択され、人物画像２００が家族連れであることが特定される場合、ファミリータイプの車種のコンテンツ３００が選択される。
【００４２】
この他、Ｓ８では、例えば特徴量として服の色についての値を用い、色やデザインの異なる複数のコンテンツ３００の中から服の色に応じたコンテンツ３００を選択することなども可能である。例えば各色相ごとに当該色相にマッチしたデザインを有する個別のコンテンツ３００（例えば、その色相に似合う車種のコンテンツ３００）を用意しておき、Ｓ８において自動選択されるコンテンツ３００を、特徴量として抽出した色の色相情報にマッチしたものとし、色だけでなくデザインも可変とすることができる。
【００４３】
写真撮影装置１は、上記のようにコンテンツ３００の自動選択を行った後、人物画像２００から求めた特徴量に基づいてコンテンツ３００の表示形態の設定を行う。ここでは、コンテンツ３００の表示形態としてコンテンツ３００の色と配置の設定を行い（Ｓ９、Ｓ１０）、そのコンテンツ３００を人物画像２００に合成する（Ｓ１１）。
【００４４】
Ｓ９では、例えば人物画像２００の特徴量として服の色を用い、コンテンツ３００の色をその服の色に変更する。
【００４５】
服の色は、Ｓ７において例えば図５（ａ）のｂに示すように人物画像２００の服（上着部分）の領域ｂを抽出し、その領域ｂについての代表色として求められる。代表色は例えば上記の領域ｂの画素間でRGB値の平均や中央値をとったものである。図７に示すように、Ｓ９では車のボディー部分の色をその代表色に変更する。
【００４６】
コンテンツ３００の色の設定に利用する特徴量は服の色に限らず、髪の色や目の色、顔の皮膚部分の色であっても良い。この場合も、それぞれの領域の代表色を求め、コンテンツ３００の色をその代表色に変更する。また、コンテンツ３００において色を変更する部分は車のボディー部分の一部であってもよい。
【００４７】
またＳ１０では、例えば人物画像２００の特徴量として人物の向きを用い、コンテンツ３００の配置をその向きに合わせる。
【００４８】
例えば図５（ａ）に示すように人物画像２００の向きが左向きである場合、図７に示すように、Ｓ１０ではコンテンツ３００を左側に、人物画像２００を右側に配置して、Ｓ１１においてこれらの画像を合成した合成画像４００を作成する。
【００４９】
本実施形態ではコンテンツ３００の配置に合わせてコンテンツ３００の向きも変更されており、図７の例ではコンテンツ３００を左側に配置するのに応じてコンテンツ３００が右向きに変更されている。
【００５０】
コンテンツ３００の配置（および向き）の設定に利用する特徴量は人物の向きに限らず、人物のポーズや撮影画像１００内の人物画像２００の位置などであっても良い。例えば撮影画像１００内の人物画像２００の位置が左寄りの場合、コンテンツ３００を右側に、人物画像２００を左側に配置する。
【００５１】
写真撮影装置１は、プリンタ１５にて合成画像４００をプリントし（Ｓ１２）、プリント物としてプリント物取出口１７に排出する。合成画像４００は、サーバ（不図示）に送信してユーザの端末からダウンロードできるようにしたり、写真撮影装置１からユーザの端末に直接送信したりすることも可能である。
【００５２】
以上はコンテンツ３００を自動選択する場合であるが、コンテンツ３００をユーザ自身で選択する場合（Ｓ２；ユーザ自身で選択）は、写真撮影装置１がまず図８のようなコンテンツ選択画面を表示部１１に表示させる。
【００５３】
図８のコンテンツ選択画面では、選択可能なコンテンツ３００の候補（コンテンツ画像候補）が複数表示される。ユーザは複数のコンテンツ３００の中から合成に用いるコンテンツ３００を選択し、確定ボタン１１１を押下する。
【００５４】
写真撮影装置１はユーザによるコンテンツ３００の選択を受付け（Ｓ３）、確定ボタン１１１が押下されると、課金画面（不図示）を表示部１１に表示させてユーザによる課金を促す。
【００５５】
以下、写真撮影装置１は前記したＳ４〜Ｓ７の処理によりユーザを撮影して人物画像２００から特徴量を求め、前記したＳ９〜Ｓ１２の処理により上記Ｓ３で選択されたコンテンツ３００の表示形態を設定して人物画像２００に合成し、その合成画像４００をプリントする。ここでは前記のＳ８のように特徴量に基づくコンテンツ３００の自動選択は行わず、特徴量はコンテンツ３００の表示形態の設定にのみ用いている。これとは逆に、前記のＳ８のようなコンテンツ３００の自動選択にのみ特徴量を用い、コンテンツ３００の表示形態の設定はユーザの操作入力により行うようにしてもよい。
【００５６】
なお、Ｓ５における撮影（本撮影）を行う前に動画としてユーザを撮影し、これを表示部１１にプレビュー画面として表示するケースがある。この場合は、当該動画の各フレームの画像から人物画像２００を抽出し、コンテンツ３００を人物画像２００に合成した合成画像４００をプレビュー画面として表示部１１に表示させてもよい。
【００５７】
上記の合成は、人物画像２００から特徴量を求めたうえで、コンテンツ３００が自動選択される場合にはＳ８〜Ｓ１１と同様の処理により、コンテンツ３００がユーザにより選択される場合にはＳ９〜Ｓ１１と同様の処理により行うことができる。例えばユーザが向きを変えたりすると、これに応じてプレビュー画面におけるコンテンツ３００の配置も変化する。
【００５８】
また、Ｓ１２において合成画像４００をプリントする前に、合成画像４００を確認するための確認画面（不図示）を表示部１１に表示させ、当該画面上で合成画像４００をプリントするかどうかをユーザが選択できるようにしてもよい。ユーザは画面上の合成画像４００を確認し、それで良い場合はプリントを選択してＳ１２に移行する。
【００５９】
ユーザは、合成画像４００に不満がある場合は、合成画像４００をプリントせずに合成をやり直したり、人物画像２００の背景領域に落書き編集などを施してその画像をプリントしたりする等の選択を行うことができる。
【００６０】
前者の場合、例えば人物画像２００はそのまま維持し、図８のコンテンツ選択画面で新たなコンテンツ３００を選択したうえでコンテンツ３００の表示形態の設定と合成画像４００の作成（Ｓ９〜Ｓ１１）を再度実行する。
【００６１】
人物画像２００を維持せずに撮影をし直すことも可能であり、例えばコンテンツ３００を自動選択していた場合は、ユーザの撮影（Ｓ５）から再度同じ手順で合成画像４００を作成する。コンテンツ３００をユーザが選択していた場合は、図８のコンテンツ選択画面でコンテンツ３００を選択したうえで、ユーザの撮影（Ｓ５）から再度同じ手順で合成画像４００を作成できる。
【００６２】
以上説明した本実施形態では、合成画像４００として提供されるコンテンツ３００を、撮影画像１００から抽出した人物画像２００の特徴によって可変とでき、コンテンツ３００をユーザの人物画像２００によって異なるものとできる。そのため個々のユーザに希少性の高いコンテンツ３００を提供でき、コンテンツ３００の商品価値を高めることができる。
【００６３】
すなわち本実施形態では、写真撮影装置１によって自動選択されるコンテンツ３００が人物画像２００の特徴によって可変となったり、コンテンツ３００の表示形態として、コンテンツ３００の色や配置が人物画像２００の特徴によって可変となるので、より商品価値のあるコンテンツ３００が得られる。
【００６４】
また本実施形態では、写真撮影装置１によってユーザを撮影した撮影画像１００中のユーザの人物画像２００の特徴に応じたコンテンツ３００をユーザに提供でき、合成画像４００をクロマキー合成によって作成することで、所定色の背景板１８等を備えた写真撮影装置１のサービスとして好適に適用できる。
【００６５】
またコンテンツ３００の選択にＡＩを用いることで、人間の判断に近いコンテンツ３００の選択が可能になる。
【００６６】
しかしながら、本発明は上記の実施形態に限らない。例えば本実施形態ではコンテンツ３００を車の画像としたが、コンテンツ３００はこれに限らず、例えば人物や動物、建築物や自然風景、独自にデザインされた背景などであってもよい。Ｓ９においてコンテンツ３００の色を設定する部分なども個々のコンテンツ３００に合わせて自由に定めることができる。
【００６７】
また、コンテンツ３００の選択やコンテンツ３００の表示形態の設定に用いる特徴量も前記に限らず様々なものが考えられ、特に限定されることはない。
【００６８】
また本実施形態ではＳ９においてコンテンツ３００の色を人物画像２００の服の色に変更しているが、例えば人物画像２００の服の領域ｂから抽出した柄を代表柄とし、これをコンテンツ３００の一部または全部に貼り付けるような色の変更を行ってもよい。
【００６９】
また本実施形態ではコンテンツ３００の表示形態としてコンテンツ３００の色、配置（および向き）の設定を行っているが、設定する表示形態は合成画像４００におけるコンテンツ３００の表示のされ方についてのものであればよく、例えばコンテンツ３００の数や大きさ等も可変とできる。
【００７０】
その他、Ｓ８においてＡＩにより複数のコンテンツ３００を選択し、これら複数のコンテンツ３００を図８と同様のコンテンツ選択画面にてお勧めのコンテンツ３００として表示し、その中から合成に用いるコンテンツ３００をユーザにより選択できるようにしてもよい。写真撮影装置１はこの選択を受付け、選択されたコンテンツ画像を用いてＳ９以降の処理を行う。これにより、ＡＩにより選択された複数のコンテンツ３００の中からユーザによって好みのコンテンツ３００を選択できるようになる。
【００７１】
また、本実施形態ではコンテンツ３００を人物画像２００と合成した合成画像４００として提供しているが、コンテンツ３００を人物画像２００と合成せずに、コンテンツ３００のデータをそのままユーザの端末に送信して提供したり、コンテンツ３００のみをプリントして提供することも可能である。この場合も、自動選択されるコンテンツ３００やコンテンツ３００の表示形態を前記と同様に特徴量に応じて可変とすることができる。また、コンテンツ３００を人物画像２００と合成せずにユーザに提供するか、人物画像２００と合成して合成画像４００として提供するかをユーザが選択できるようにしてもよい。この場合、例えば前者の場合にＳ８のようなコンテンツ３００の自動選択を行い、後者の場合にはＳ８のようなコンテンツ３００の自動選択は行わず、ユーザにより選択されたコンテンツ３００を人物画像２００と合成するといったことも可能である。
【００７２】
また、本実施形態では撮影部１３でユーザを撮影した撮影画像１００から被写体の画像としてユーザの人物画像２００を抽出しているが、ユーザによって入力された画像から被写体の画像を抽出してもよい。例えばユーザは自身の端末を画像処理装置１０と通信可能に接続し、当該端末に格納された画像を画像処理装置１０に送信して入力する。
【００７３】
この場合、上記の撮影部１３は必須では無く、本実施形態の画像処理装置１０は写真撮影装置１以外にも適用可能である。またユーザによって画像を入力する場合、当該画像から抽出する被写体の画像は人物の画像に限らない。例えば動物の画像、車や家等の人工物の画像などであってもよい。
【００７４】
例えば図９はユーザによって入力された入力画像１００ａの例であり、画像処理装置１０は入力画像１００ａの中央部に位置する主要な被写体（図の例ではキツネ）の画像２００ａを抽出し、その被写体の画像２００ａから得られた１又は複数の値により被写体が何であるか（例えば人物であるか動物であるか、車や家などの人工物であるかなど）をＡＩを利用した既知の画像認識技術により特定する。
【００７５】
そして、ＡＩによる被写体の特定結果に応じた特徴量を求め、当該特徴量に基づいて前記したＳ８と同様の処理によりコンテンツ３００を選択したり、Ｓ９、１０と同様の処理によりコンテンツ３００の表示形態を設定する。前者の場合、例えば当該特徴量を用いたＡＩにより被写体の属性を特定し、その属性に応じたコンテンツ３００を選択する。例えば被写体が動物の場合は、特徴量として姿勢や色を求め、被写体の属性として動物の種類（「キツネ」など）を特定する。被写体が人工物の場合、例えば特徴量として大きさや色を求め、被写体の属性として人工物の種類（例えば「車」や「家」など）を特定する。被写体が人物の場合の特徴量や属性については前記と同様である。
【００７６】
上記の例では、コンテンツ３００を選択する際だけでなく特徴量を求める際にもＡＩを利用しており、ＡＩによる被写体の特定結果（被写体が何であるか）に応じた特徴量を求めることでも、人間の判断に近いコンテンツ選択やコンテンツ３００の表示形態の設定が可能になる。
【００７７】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００７８】
１：写真撮影装置
１０：画像処理装置
１１：表示部
１２：課金部
１３：撮影部
１４：照明
１５：プリンタ
１７：プリント物取出口
１８：背景板
１００：撮影画像
１００ａ：入力画像
２００：人物画像
２００ａ；被写体の画像
３００：コンテンツ画像
４００：合成画像
【図１】
2020178191.tif 000003
【図２】
2020178191.tif 000004
【図３】
2020178191.tif 000005
【図４】
2020178191.tif 000006
【図５】
2020178191.tif 000007
【図６】
2020178191.tif 000008
【図７】
2020178191.tif 000009
【図８】
2020178191.tif 000010
【図９】
2020178191.tif 000011